(57)【特許請求の範囲】
【請求項１】
シャフトと、
前記シャフトの外周に円筒状に配置されて固定された複数の磁石と、
前記複数の磁石の外周にフィラメントを巻回して構成された円筒状の保護部材とを備え、
前記磁石の外周と前記保護部材の内周の間に非接着層を介在させると共に、
前記非接着層は、一方側に前記磁石の外周に接着する接着面を有し、他方の側に前記保護部材の内周に摺動可能に接する非接着面を有することを特徴とする回転体。
【請求項２】
前記非接着層は、前記複数の磁石の各外周に個別に接着されたフッ素樹脂フィルムであることを特徴とする請求項１に記載の回転体。
【請求項３】
前記非接着層は、前記複数の磁石の外周全体に接着されたフッ素樹脂フィルムであることを特徴とする請求項１に記載の回転体。
【請求項４】
前記非接着層は、前記磁石の外周に形成されたコーティング材で構成されたことを特徴とする請求項１に記載の回転体。
【請求項５】
コーティング材は、フッ素樹脂または窒化チタンであることを特徴とする請求項４に記載の回転体。
【請求項６】
前記コーティング材は、前記磁石の外周に塗布された離型剤により形成されたことを特徴とする請求項４に記載の回転体。
【請求項７】
前記離型剤は、フッ素系またはシリコン系の離型剤であることを特徴とする請求項６に記載の回転体。
【請求項８】
固定子、回転子および気体を圧縮するインペラを備え、前記インペラは前記回転子に同軸に配置される電動コンプレッサにおいて、
前記回転子として、請求項１〜７の何れか１項に記載の回転体を用いたことを特徴とする電動コンプレッサ。
【請求項９】
固定子、回転子および搬送気体により回転するタービンを備え、前記タービンは前記回転子に同軸に配置されるタービン発電機において、
前記回転子として、請求項１〜７の何れか１項に記載の回転体を用いたことを特徴とするタービン発電機。
【発明の詳細な説明】
【技術分野】
【０００１】
本発明は、回転体に永久磁石を備え、高速度で回転する回転体に関し、さらにはこの回転体を用いた電動コンプレッサおよびタービン発電機に関する。
【背景技術】
【０００２】
近年、地球温暖化対策として、ＣＯ２排出量削減の取り組みが各国で導入されており、年々その排出量目標値も厳しくなっている。自動車分野においても然りであり、各メーカは燃費向上の技術開発に取組み、電気自動車（ＥＶ）や燃料電池車（ＦＣＶ、ヒュエルセルビークル）のような内燃機関を使わない自動車等も開発されている。一方、世界市場では価格の面でいまだ内燃機関のみを駆動源とした自動車の需要が高く、これらがＥＶやＦＣＶに置き換わるにはまだ年月を有する。【０００３】
そのため、内燃機関を有する自動車の燃費向上技術の開発も急務とされ、その１つの潮流としてダウンサイジングターボという技術がある。これは簡単に説明すると、エンジン排気量を小さくして燃費を上げ、失ったトルクをターボで補うというものである。【０００４】
しかしながら、ターボ搭載エンジン車には弱点もあり、その一つとしてターボラグの問題がある。排気によって駆動する回転タービンの特性として、排気によって回転が上昇するまでタイムラグがある。【０００５】
即ち、アクセルを踏んで加速する際に、排気によってタービンが回転し、タービンに直結したコンプレッサの回転により吸気圧が上昇するので、アクセルを踏んでから吸気圧が上昇するまでワンテンポ遅れてしまう。【０００６】
これを改善するために、吸気コンプレッサを取り付け、アクセルを踏むと同時にモータによる駆動でタイムラグなく、吸気圧を上げるという電動コンプレッサ技術がある。【０００７】
これらに用いるモータとしては、コンプレッサが必要とする回転数（数万rpm）まで、コンマ何秒（１秒以下）かで到達する加速能力を必要とする。そのため、モータの回転子のイナーシャをなるべく小さくする必要があり、小型のインナーロータ型モータが採用される。
【先行技術文献】
【特許文献】
【０００８】
【特許文献１】特開平９−２０３３８２号公報
【特許文献２】特開平８−１５９０６２号公報
【特許文献３】特開２０１５−０９１２０２号公報
【特許文献４】特開２０１０−２００４４０号公報
【発明の概要】
【発明が解決しようとする課題】
【０００９】
一般的な永久磁石を用いるインナーロータ型モータのロータ（回転子）の構造を図１３、図１４に示す。ロータは、シャフト（又はロータコア）１１の外周面に、円弧状の断面を有する複数の永久磁石１２が円筒状に貼り付けられて構成される、そして、回転時の遠心力によって磁石１２が飛散しないように、磁石１２の外周面に保護スリーブ１５を設けて組立てられる（特許文献１、特許文献２）。【００１０】
ロータの高速度回転時には遠心力が大きくなるため、前記保護スリーブ１５は、スリーブ自身と磁石１２に加わる遠心力による半径方向の応力に耐えるために、特に高強度を必要とする。【００１１】
一方で、高速度で回転するためには、ロータの不釣り合い量を小さくする必要もあり、高精度なバランス修正を必要とする。上記構造の場合、シャフト１１に円弧状に分割された磁石１２を円筒状に接着剤などで貼り付け、その上に保護スリーブ１５を設ける。【００１２】
しかし、保護スリーブ１５と磁石１２の隙間が大きいと、両者に介在する接着剤が遠心力で剥がれて磁石１２が移動し、バランスが崩れる恐れがあるため、保護スリーブ１５と磁石１２の間には、なるべく隙間を設けたくない。【００１３】
また、磁石１２は複数ピースから構成され、寸法公差内にあるとは言え、それぞれの大きさが僅かに異なるため、完全な円筒形にはならない。また、永久磁石は脆弱材料で脆いものが多く、過剰な応力を掛けると割れ易い。【００１４】
このような理由で、既成の円筒部材外周部に絞り加工、圧入または焼嵌め等で嵌合して外嵌保持させる（特許文献１、特許文献２）ことは難しく、かつ、磁石１２と保護スリーブ１５の間を隙間なく構成するのは困難である。【００１５】
そこで採用される方法の一つに、特許文献３または特許文献４に示されるような、フィラメントワインディング法によって、保護スリーブ１５をカーボンファイバ（炭素繊維）で構成する方法がある。【００１６】
この方法は、磁石１２の外周面に、樹脂を付着させた炭素繊維を略円周方向に螺旋状に巻き、付着している樹脂を熱硬化で固めて、炭素繊維強化プラスチックを形成する方法である。【００１７】
この方法によれば、磁石１２の外周に樹脂により密着して機械的強度の強い保護スリーブ１５が構成されるので、高速回転で生じる発熱に対しても剛性を維持でき、遠心力が働いても磁石１２はシャフトから剥離することが防止される。【００１８】
しかし、上記方法では別の問題が発生してしまう。すなわち、炭素繊維強化プラスチック（ＣＦＲＰ）は、熱硬化過程で保護スリーブ１５と磁石１２の外周面を強固に接着してしまうことである。【００１９】
このように接着されると、磁石１２とＣＦＲＰからなる保護スリーブ１５とは線膨張率が異なるので、冷熱サイクルの環境下では、両者の円周方向の膨張と収縮量が異なり、接着境界面にストレスが加わることになる。【００２０】
図１４は、そのストレスの状況を示しているが、冷熱サイクルが繰返されると、磁石１２は接着された機械的強度の強い保護スリーブ１５の熱変形によって引きずられて、矢印１６方向に繰り返し力を受ける。【００２１】
例えば、熱膨張の場合、矢印１６方向に保護スリーブ１５が膨張すると、保護スリーブ１５に接着している磁石１２が矢印１７の両側に引張られ、磁石１２同士の境界面に僅かな隙間や、磁石自身に割れが生じる恐れがある。【００２２】
磁石に隙間や割れが生じると遠心力により一層拡大し、遠心力を取り去っても元に戻らないため、磁石１２が移動したままとなり、ロータの重量バランスが崩れてしまう恐れがある。【００２３】
従って、電動機の組立時に調整されたロータの重量バランスは崩れると、高速度回転が出来なくなる。【００２４】
この課題は、電動ターボモータの回転子（回転体）に限らず、内燃機関の排気や蒸気によって駆動されるタービンに同軸に発電機が配置されたタービン発電機の回転子についても同様である。【００２５】
本発明は、上記した従来の問題点にかんがみ、回転体を構成する永久磁石を遠心力から保護すると共に、ヒートサイクルによる磁石の破断を防止することで、高速度回転域まで回転可能な回転体、電動コンプレッサおよびタービン発電機を提供することを目的とする。
【課題を解決するための手段】
【００２６】
本発明は、上記課題を解決するために、シャフトと、前記シャフトの外周に円筒状に配置されて固定された複数の磁石と、前記複数の磁石の外周にフィラメントを巻回して構成された円筒状の保護部材とを備え、前記磁石の外周と前記保護部材の内周の間に非接着層を介在させたことを特徴とする。【００２７】
この構成によれば、遠心力が働いても磁石は、シャフトから剥離することが防止されると共に、磁石と保護部材が接着されてないので、ヒートサイクルによる磁石へのストレスが防止される。【００２８】
また、上記において、前記非接着層は、一方側に前記磁石の外周に接着する接着面を有し、他方の側に前記保護部材の内周に摺動可能に接する非接着面を有することを特徴とする。【００２９】
この構成によれば、非接着層を形成するのに非接着層の接着面を磁石の外周に接着するので、作業が簡単となる。【００３０】
また、上記において、前記非接着層は、前記複数の磁石の各外周に個別に接着されたフッ素樹脂フィルムであることを特徴とする。【００３１】
この構成によれば、非接着層を形成するのに非接着層の接着面を個別の磁石の外周に接着するので、各磁石に個別に小ピースのフッ素樹脂フィルムを接着するので、接着作業が簡単となる。【００３２】
また、上記において、前記非接着層は、前記複数の磁石の外周全体に接着されたフッ素樹脂フィルムであることを特徴とする。【００３３】
この構成によれば、複数の磁石の外周全体にフッ素樹脂フィルムを一括で接着するので、非接着層の接着作業が短時間で行える。【００３４】
また、上記において、前記非接着層は、前記磁石の外周に形成されたコーティング材で構成されたことを特徴とする。【００３５】
また、上記において、コーティング材は、フッ素樹脂または窒化チタンであることを特徴とする。【００３６】
これらの構成によれば、磁石の外周にフッ素樹脂または窒化チタンをコーティングすればよいので、非接着層の形成が簡単で均一に行える。【００３７】
また、上記において、前記コーティング材は前記磁石の外周に塗布された離型剤により形成されたことを特徴とする。【００３８】
また、上記において、前記離型剤は、フッ素系またはシリコン系の離型剤であることを特徴とする。【００３９】
これらの構成によれば、磁石の外周にフッ素系またはシリコン系の離型剤を塗布するので、非接着層の形成が簡単で均一に行える。【００４０】
また、本発明は、固定子、回転子および気体を圧縮するインペラを備え、前記インペラは前記回転子に同軸に配置される電動コンプレッサにおいて、前記回転子として、上記の何れかに記載の回転体を用いたことを特徴とする。【００４１】
この構成によれば、ヒートサイクルによる磁石の破断を防止した電動コンプレッサを得ることができる。【００４２】
また、本発明は、固定子、回転子および搬送気体により回転するタービンを備え、前記タービンは前記回転子に同軸に配置されるタービン発電機において、前記回転子として、上記の何れかに記載の回転体を用いたことを特徴とする。【００４３】
この構成によれば、ヒートサイクルによる磁石の破断を防止したタービン発電機が得ることができる。
【発明の効果】
【００４４】
本発明によれば、回転体を構成する永久磁石と、電動コンプレッサおよびタービン発電機の回転子を構成する永久磁石とを、遠心力から保護すると共に、ヒートサイクルによる磁石の破断を防止することができる。
【図面の簡単な説明】
【００４５】
【図１】本発明の実施例１の回転体のシャフトに直角の断面図である。
【図２】本発明の実施例１の回転体のシャフトに沿った断面図である。
【図３】本発明の実施例１の非接着層の断面拡大図である。
【図４】本発明の実施例１の回転体の斜視図である。
【図５】本発明の実施例１の磁石の外周に保護部材を形成する作業の説明図である。
【図６】本発明の実施例１の保護部材を形成する作業の説明図である。
【図７】本発明の実施例１の保護部材が形成された磁石の断面図である。
【図８】本発明の実施例１の回転体の一部を示す断面図である。
【図９】本発明の実施例２の回転体の一部を示す断面図である。
【図１０】本発明の実施例３及び４の回転体の一部を示す断面図である。
【図１１】本発明の実施例５の電動コンプレッサの断面図である。
【図１２】本発明の実施例６のタービン発電機の断面図である。
【図１３】従来例のインナーロータ型モータのロータの断面図である。
【図１４】図１３の一部を拡大して示す拡大図である。
【発明を実施するための形態】
【００４６】
以下、図１から１２に基づいて、本発明の各実施例を説明する。各図において、同一符号を付した部分は同一或いは相当する部分を示す。
【実施例１】
【００４７】
図１は、本発明の実施例１の回転体のシャフトに直角方向の断面図で、図２は、同じくシャフトに沿った断面図である。【００４８】
１０は回転体で、その外周に配置される固定子（図示省略）によって電動コンプレッサ用ターボモータを構成し、固定子のコイルへの給電により、数万rpm以上で高速度回転する。【００４９】
１は、回転体のシャフトで、両端が図示しない軸受によって支持されている。２は、前記シャフト１の外周面に接着剤により固着された永久磁石で、円弧状断面の複数ピースを円筒状に組合わせて構成される。【００５０】
この複数ピースは偶数であり、円筒状に組合わせた外周面の極性が、Ｎ→Ｓ→Ｎ→Ｓと交互になるように構成され、本実施例１では、４ピースの磁石２ａ〜２ｄで構成される。【００５１】
５は、回転での遠心力による磁石２ａ〜２ｄの浮上がりと飛散を防止する保護部材である。保護部材５は、円筒状に形成された磁石２ａ〜２ｄの外周面に円筒状に形成され、非磁性材料からなる。【００５２】
保護部材５は、磁石２ａ〜２ｄで形成された円筒の外周面に、フィラメントワインディング法によりエポキシ樹脂を付着させたガラス繊維や炭素繊維を螺旋状に巻回して構成される。【００５３】
４は、磁石２ａ〜２ｄで形成された円筒の外周面と前記保護部材５の内周面の間に介在した非接着層で、磁石２ａ〜２ｄの円筒の外周面側に接着して取付けられる。【００５４】
回転体１０は、上記シャフト１、永久磁石２、非接着層４及び保護部材５によって構成される。【００５５】
非接着層４は、図３に断面を示すように、一方側に前記磁石の外周面に接着する接着面３を、他方の側に前記保護部材５の内周に摺動可能に接する非接着面７をそれぞれ有する。接着面３は、保護用の剥離ライナー６で覆われ、この剥離ライナー６を剥いで磁石２の外周面に接着される。【００５６】
例えば、前記非接着面７は、ＰＴＦＥフィルム（フッ素樹脂フィルム）であり、前記接着面３はシリコン系粘着剤であり、剥離ライナー６はＰＥＴ剥離ライナーからなる。【００５７】
図４は本発明の実施例１の回転体の斜視図である。非接着層４は分割された４ピース４ａ〜４ｄからなり、それぞれ、磁石２ａ〜２ｄの外周面に個別に接着される。この構成では、各磁石に個別に小ピースの非接着層４を接着するので、接着作業が簡単となる。【００５８】
図５は、本実施例１の磁石の外周に保護部材５を形成する作業の説明図であり、フィラメントワインディングを行う巻回装置が示される。【００５９】
５１は４本の炭素繊維５２の繰り出しリール、５３は繰り出された４本の炭素繊維５１の間隔と姿勢を揃えるバーである。５４は各炭素繊維５２にエポキシ樹脂を付着させる樹脂槽、５５は樹脂槽５４を支えて共に幅方向に往復動するヘッド、５６はヘッド５５が移動する支持台、５８はヘッド５５の往復動を制御するヘッド移動機構である。【００６０】
ヘッド５５の前方には、図４に示す回転体１０が配置されている。回転体１０は、シャフト１の両端が巻回装置の支持体（図示省略）に支持され、回転機構５９によって回転駆動される。【００６１】
４本の炭素繊維５２は、樹脂槽５４を通過することで表面にエポキシ樹脂が付着される。次いで、回転機構５９による回転体１０の回転と、ヘッド５４の往復動により、回転体の非接着層４の外周に炭素繊維５２が螺旋状に巻回される。【００６２】
図６に示すように、回転体１０は、非接着層４の外周面に炭素繊維５２が緻密に巻回され、所定の層数が巻回された後、巻回装置の支持体から外される。
外された回転体１０は全体が加熱され、炭素繊維５２に付着しているエポキシ樹脂が加熱硬化される。【００６３】
図７は加熱硬化後の状態を断面で示す。非接着層４の外周に巻回された炭素繊維５２同士が、エポキシ樹脂の硬化で接着され、機械的強度の強い円筒状の保護部材５が形成される（図では１層のみ巻回されている。）。【００６４】
実施例１では、非接着層４を分割して４ピース４ａ〜４ｄとし、それぞれ、各磁石２ａ〜２ｄの外周面に個別に接着するので、加熱硬化された回転体１０は、図８の断面構造となる。【００６５】
図８で、非接着層４を構成する非接着面７と接着面３が共に、４ピースとされ、各ピースの間には境目が生じている。【００６６】
図８において、磁石２と保護部材５は、線膨張率の差によって円周方向の膨張、収縮量が異なる。従って、熱膨張の場合、機械的強度の強い保護部材５が矢印９の円周方向に膨張して移動する。【００６７】
実施例１では、保護部材５の内周面と磁石２の外周面に非接着層４が介在し、非接着層４の非接着面７が保護部材５に接しているので、保護部材５が膨張で移動しても、非接着面７の面上を摺動するのみで、非接着層４および磁石２に力が加わらない。【００６８】
従って、回転体１０に加わる遠心力から永久磁石を保護すると共に、ヒートサイクルによって保護部材５が膨張、収縮しても、磁石２にストレスが加わることが無い。
【実施例２】
【００６９】
図９は、本発明の実施例２の回転体の一部を示す断面図である。実施例２では、非接着層４（接着面３、非接着面７）を４ピースに分割しないで、連続した状態の非接着層４を複数の磁石２の外周に一括して接着している。【００７０】
この構成によれば、複数の磁石の外周全体にフッ素樹脂フィルムを一括で接着できるので、非接着層の接着作業が短時間で行える。【００７１】
また、先の実施例１では複数の非接着層４ａ〜４ｄの間の境目に隙間ができるが、本実施例２では非接着層４に隙間が無く、各磁石の境目において非接着層４の外周が滑らかとなり、保護部材５との滑りが一層良い。【００７２】
図９の断面構造において、磁石２と保護部材５は、線膨張率が異なるが、機械的強度の強い保護部材５が矢印９の円周方向に熱膨張しても、非接着層４（非接着面７）の面上を摺動するのみである。【００７３】
従って、回転体１０に加わる遠心力から永久磁石を保護すると共に、ヒートサイクルによる保護部材５の膨張、収縮があっても、磁石２にストレスが加わることが無い。
【実施例３】
【００７４】
図１０は、本発明の実施例３及び４の回転体の一部を示す断面図である。先の実施例１、２では、非接着層４としてＰＴＦＥフィルム（フッ素樹脂フィルム）で形成しているが、本実施例３では、非接着層４として非接着性のコーティング材８で構成している。【００７５】
コーティング材８は、フッ素樹脂または窒化チタンであり、フッ素樹脂は磁石２の外周面に塗布して固着され、窒化チタンは磁石２の外周に蒸着により固着形成される。【００７６】
この構成によれば、磁石の外周面にフッ素樹脂または窒化チタンをコーティングすればよいので、非接着層の形成が簡単で均一に行える。【００７７】
コーティング材８の形成は、シャフト１に磁石２を接着する前の実施と、接着後の実施が考えられる。【００７８】
シャフト１に磁石２を接着する前の実施の場合は、磁石２の内周面に誤ってコーティング材８が付着しないように（磁石２の内周面に付着すると、シャフト１の外周面と磁石２の内周面の接着強度が弱くなる）、予め、磁石２の内周面にテープ等でマスキングを施すことが必要である。【００７９】
このように、磁石２の内周面をマスキングした状態で、磁石２の外周面に塗布や蒸着の作業でコーティング材８を形成し、作業後にマスキングテープを剥がす。【００８０】
一方、シャフト１に磁石２を接着後にコーティング材８を形成する場合は、磁石の外周面以外のコーティング不要な部分にマスキングを施した状態で形成作業を行う。【００８１】
コーティング材が形成された後は、その外周面に図５に示す巻回装置により、炭素繊維５２を巻回し保護部材５が形成される。【００８２】
図１０の断面構造において、磁石２と保護部材５は、線膨張率が異なるが、機械的強度の強い保護部材５が矢印９の円周方向に熱膨張しても、コーティング材８の面上を摺動するのみである。【００８３】
従って、回転体１０に加わる遠心力から永久磁石を保護すると共に、ヒートサイクルによる保護部材５の膨張、収縮があっても、磁石２にストレスが加わることが無い。
【実施例４】
【００８４】
本実施例４では、コーティング材８として離型剤を用い、離型剤はフッ素系またはシリコン系の離型剤を磁石２の外周面に塗布することで付着させる。【００８５】
磁石２をシャフト１に接着する前に離型剤を塗布する場合は、磁石２の内周面（シャフト１の外周面との接着面）に誤って離型剤が付着しないように、予め、磁石２の内周面にテープ等でマスキングを施す必要がある。【００８６】
また、離型剤は塗布後に他の作業による不用意な接触で拭き取られてしまうので、図５に示す巻回装置により炭素繊維５２が巻回される直前に塗布するのが好ましい。【００８７】
この構成によれば、磁石の外周面にフッ素系またはシリコン系の離型剤を塗布するだけで良いので、非接着層の形成が簡単で均一に行える。【００８８】
離型剤が付着された後は、その離型剤の外周面に図５に示す巻回装置により、炭素繊維５２を巻回し保護部材５が形成される。【００８９】
上記のように構成された回転体１０は、図１０に示すように、機械的強度の強い保護部材５が矢印９の円周方向に熱膨張しても、離型剤（コーティング材８）の面上を摺動するのみである。【００９０】
従って、回転体１０に加わる遠心力から永久磁石を保護すると共に、ヒートサイクルによる保護部材５の膨張、収縮があっても、磁石２にストレスが加わることが無い。
【実施例５】
【００９１】
図１１は、本発明の実施例５で、インナーロータ型の電動機を有する電動コンプレッサの断面図である。【００９２】
３１は電動コンプレッサで、コンプレッサ部３２とインナーロータ型の電動機３３からなる。コンプレッサ部３２はインペラ３４を内蔵し、電動機３３は回転子３５と固定子３６からなる。【００９３】
インペラ３４と回転子３５は、回転軸３７（シャフト）に同軸に一体に構成され、ベアリング３８を介してハウジング３９に回転可能に支持されている。また、固定子３６は、ハウジング３９に固定されている。【００９４】
上記構成において、図示しないコントローラ（インバータ）から制御用の電力が電動機に供給されると、回転子３５は所定方向に高速回転し、同時にインペラ３４も高速回転する。【００９５】
その結果、インペラ３４によって矢印に示すように方向に外気が吸引され、圧縮されて排出される。【００９６】
一般的に、内燃機関の吸気に用いられる電動コンプレッサは、回転数が数万回転であり、加速・減速の繰り返しが要求される。【００９７】
本実施例５の電動コンプレッサでは、回転子３５を上記実施例１〜４の何れかの回転体とすることにより、冷熱サイクルの環境下において、高速回転で繰り返し使用された場合でも、回転子３５の磁石の割れ等を防止できる。【００９８】
従って、電動コンプレッサの回転子を構成する永久磁石を高速回転による遠心力から保護すると共に、ヒートサイクルによる破断から防止することができ、回転体のバランスを保って、電動コンプレッサを高回転に維持することができる。
【実施例６】
【００９９】
図１２は、本発明の実施例６で、インナーロータ型の発電機を有するタービン発電機の断面図である。【０１００】
４１はタービン発電機で、タービン部４２とインナーロータ型の発電機４３からなる。タービン部４２はタービン４４を内蔵し、発電機４３は回転子４５と固定子４６からなる。【０１０１】
タービン４４と回転子４５は、回転軸４７（シャフト）に同軸に一体に構成され、ベアリング４８を介してハウジング４９に回転可能に支持されている。また、固定子４６は、ハウジング４９に固定されている。【０１０２】
上記構成において、矢印で示す方向に圧縮空気がタービン４４に送り込まれると、そのエネルギーでタービン４４が所定方向に高速回転し、同時に同軸に一体形成されている回転子４５も高速回転する。【０１０３】
その結果、固定子のコイルに電気的に接続された図示しない受電部へ電力が適宜供給されるように動作する。【０１０４】
一般に、内燃機関の排気で駆動されるタービン発電機は数万回転に及び、加減速が繰り返し行われる。【０１０５】
本実施例６のタービン発電機４１では、回転子４５を上記実施例１〜４の何れかの回転体とすることにより、冷熱サイクルの環境下において、高速回転で繰り返し使用された場合でも、回転子４５の磁石の割れ等を防止できる。【０１０６】
従って、タービン発電機の回転子を構成する永久磁石を高速回転による遠心力から保護すると共に、ヒートサイクルによる破断から防止することができ、回転体のバランスを保って、タービン発電機を高回転に維持することができる。
【符号の説明】
【０１０７】
１…シャフト
２、２ａ、２ｂ、２ｃ、２ｄ…永久磁石、磁石
３…接着面
４…非接着層
４ａ、４ｂ、４ｃ、４ｄ…ピース
５…保護部材
６…剥離ライナー
７…非接着面
９…保護部材の膨張方向、矢印
１０…回転体
１１…シャフト
１２…磁石
１５…保護スリーブ
１６…保護スリーブの膨張方向、矢印
１７…磁石の引張り方向、矢印
３１…電動コンプレッサ
３２…コンプレッサ部
３３…電動機
３４…インペラ
３５…回転子
３６…固定子
３７…回転軸
３８…ベアリング
３９…ハウジング
４１…タービン発電機
４２…タービン部
４３…発電機
４４…タービン
４５…回転子
４６…固定子
４７…回転軸
４８…ベアリング
４９…ハウジング
５１…繰り出しリール
５２…炭素繊維
５３…バー
５４…樹脂槽
５５…ヘッド
５６…支持台
５８…ヘッド移動機構
５９…回転機構
【図１】
0006759447.tif 000002
【図２】
0006759447.tif 000003
【図３】
0006759447.tif 000004
【図４】
0006759447.tif 000005
【図５】
0006759447.tif 000006
【図６】
0006759447.tif 000007
【図７】
0006759447.tif 000008
【図８】
0006759447.tif 000009
【図９】
0006759447.tif 000010
【図１０】
0006759447.tif 000011
【図１１】
0006759447.tif 000012
【図１２】
0006759447.tif 000013
【図１３】
0006759447.tif 000014
【図１４】
0006759447.tif 000015